(57)【要約】【課題】圧縮コイルバネが安定かつ確実に機能して、原稿圧着板を迅速かつ円滑に作動せしめることができ、また、圧縮コイルバネの縮み量を極めて容易に設定変更することができる原稿圧着板の開閉装置を提供する。【解決手段】複写機等の装置本体に取り付けられる取付部材と、取付部材に回動自在に枢着されると共に原稿圧着板を支持する支持部材と、支持部材内に摺動自在に納められる第１および第２スライダーと、これらのスライダー間に介挿されると共に原稿圧着板を開く方向に付勢する圧縮コイルバネと、から成る原稿圧着板の開閉装置において、少なくとも一方のスライダーにバネカバーを一体的に設けて、開放時でも圧縮コイルバネを覆い隠すように構成する。【選択図】        図１
2007212910.tif 000002
【特許請求の範囲】
【請求項１】
複写機等の装置本体に取り付けられる取付部材と、該取付部材に回動自在に枢着されると共に原稿圧着板を支持する支持部材と、該支持部材内に摺動自在に納められる第１および第２スライダーと、これらのスライダー間に介挿されると共に前記原稿圧着板を開く方向に付勢する圧縮コイルバネと、から成る原稿圧着板の開閉装置において、少なくとも一方のスライダーにバネカバーを一体的に設けて、開放時でも上記圧縮コイルバネを覆い隠すように構成したことを特徴とする原稿圧着板の開閉装置。
【請求項２】
複写機等の装置本体に取り付けられる取付部材と、該取付部材に回動自在に枢着くされると共に原稿圧着板を支持する支持部材と、該支持部材内に摺動自在に納められる第１および第２スライダーと、これらのスライダーの間に介挿されると共に前記原稿圧着板を開く方向に付勢する圧縮コイルバネから成る原稿圧着板の開閉装置において、少なくとも一方のスライダーに、上記圧縮コイルバネの縮み量を調整する手段を組み付けたことを特徴とする原稿圧着板の開閉装置。
【請求項３】
上記圧縮コイルバネの縮み量を調整する手段が、上記圧縮コイルバネと上記スライダーとの間に介挿されると共に該スライダーと螺合するバネ調整部材であることを特徴とする請求項２に記載の原稿圧着板の開閉装置。
【発明の詳細な説明】
【技術分野】
【０００１】
本発明は、複写機、ファクシミリ、スキャナ、或いはそれらの複合機などにおける原稿圧着板の開閉装置に関するものである。
【背景技術】
【０００２】
従来のこの種の開閉装置として、複写機等の装置本体に取り付けられる取付部材と、該取付部材に回動自在に枢着くされると共に原稿圧着板を支持する支持部材と、前記取付部材と支持部材の間に介挿されると共に前記原稿圧着板を開く方向に付勢する圧縮コイルバネから構成されるものがあった。（例えば、特許文献１参照）
【０００３】
しかしながら、上記従来の原稿圧着板の開閉装置における圧縮コイルバネは、外部に露出しており、特に開閉装置が開いた状態では、原稿がバネに触れると油が付着し原稿が汚れたり、異物が圧縮コイルバネに挟まって破損する等の欠点があった。
また、上記従来の原稿圧着板の開閉装置は、圧縮コイルバネの縮み量を容易に調整することができない等の問題点もあった。
【特許文献１】特開２００６−０１０９７９号公報
【発明の開示】
【発明が解決しようとする課題】
【０００４】
本発明が解決しようとする課題は、圧縮コイルバネが安定かつ確実に機能して、原稿圧着板を迅速かつ円滑に作動せしめることができ、また、圧縮コイルバネの縮み量を極めて容易に設定変更することができる原稿圧着板の開閉装置を提供することである。
【課題を解決するための手段】
【０００５】
本発明の原稿圧着板の開閉装置は、複写機等の装置本体に取り付けられる取付部材と、該取付部材に回動自在に枢着されると共に原稿圧着板を支持する支持部材と、該支持部材内に摺動自在に納められる第１および第２スライダーと、これらのスライダー間に介挿されると共に前記原稿圧着板を開く方向に付勢する圧縮コイルバネと、から成る原稿圧着板の開閉装置において、少なくとも一方のスライダーにバネカバーを一体的に設けて、開放時でも上記圧縮コイルバネを覆い隠すように構成したことを特徴とする。また、複写機等の装置本体に取り付けられる取付部材と、該取付部材に回動自在に枢着くされると共に原稿圧着板を支持する支持部材と、該支持部材内に摺動自在に納められる第１および第２スライダーと、これらのスライダーの間に介挿されると共に前記原稿圧着板を開く方向に付勢する圧縮コイルバネから成る原稿圧着板の開閉装置において、少なくとも一方のスライダーに、上記圧縮コイルバネの縮み量を調整する手段を組み付けたことを特徴とする。さらに、上記圧縮コイルバネの縮み量を調整する手段が、上記圧縮コイルバネと上記スライダーとの間に介挿されると共に該スライダーと螺合するバネ調整部材であることを特徴とする。
【発明の効果】
【０００６】
本発明の原稿圧着板の開閉装置は、圧縮コイルバネが安定かつ確実に機能せしめて、原稿圧着板を迅速かつ円滑に作動せしめることができ、また、圧縮コイルバネの縮み量を極めて容易に設定変更できるという利点がある。
【発明を実施するための最良の形態】
【０００７】
図１および図２において、Ｐは原稿圧着板であって、開閉装置Ｈを介して、複写機等の装置本体Ｍに開閉自在に取り付けられている。上記開閉装置Ｈは、上記装置本体Ｍに取り付けられている取付部材１と、該取付部材１にヒンジ軸２を介して回動自在に枢着される支持アーム３と、該支持アーム３の先端部に支持軸４を介して回動自在に枢着されると共に、上記原稿圧着板Ｐを取り付け固定するリフトアーム５から、主として構成されている。
【０００８】
上記支持アーム３内には第１スライダー６および第２スライダー７が長手方向に摺動自在に納められていると共に、これら第１、２スライダー６、７間には圧縮コイルバネ８が介挿されている。上記第１スライダー６のカムフォロアー６ａは、上記リフトアーム５の当接部５ａに当接すると共に、第２スライダー７のカムフォロアー７ａは、上記取付部材１に設置されたカム部９に当接している。
【０００９】
なお、本発明における開閉装置Ｈは、上記構造に限定するものではなく、例えば、支持軸４およびリフトアーム５を省略し、上記原稿圧着板Ｐを支持アーム３に取り付け固定するように構成する等、従来公知の構造のいずれでもよい。
【００１０】
１０はバネカバーであって、上記第１スライダー６に一体的に形成され、上記圧縮コイルバネ８を覆い隠すように保護している。該バネカバー１０を第１スライダー６と別の部品として構成し、一体的に取り付け固定するようにしてもよい。該バネカバー１０は、図３に示すように、少なくとも上記支持アーム３が閉じる方向に回動して、上記第１スライダー６と第２スライダー７が相互の方向に近づく（圧縮コイルバネ８が縮む）と、上記第１スライダー６は第２スライダー７の外側にオーバーラップするようにスライドし、相互に干渉しないように構成されている。
【００１１】
１１はバネ調整部材であって、上記圧縮コイルバネ８と上記第２スライダー７との間に組み付けられている。該バネ調整部材１１の円筒部外側にはネジが形成されていて、上記第２スライダー７の円筒部外側に形成されたネジと螺合している。従って、該バネ調整部材１１を回転させることにより、上記第２スライダー７から離れたり近づいたりするように移動し、その結果、上記圧縮コイルバネ８が縮んだり伸びたりし、その縮み量すなわち反発力が変化する。
【００１２】
上記バネ調整部材１１を回転させる手段としては、該バネ調整部材１１の全周に亘って適宜間隔で複数の孔１１ａを形成すると共に、該孔１１ａが外部から見えるように、上記第２スライダー７に開口部７ｂを開設する。該開口部７ｂは、少なくとも２つの孔１１ａが見えるように開設されているので、該孔１１ａに適当なピン（図示せず）を差し込んで、バネ調整部材１１を僅かながら回転させ、これを適宜繰り返すことにより調整を行う。
【図面の簡単な説明】
【００１３】
【図１】本発明の原稿圧着板の開閉装置の１実施例を示す側断面図である。
【図２】図１の矢視Ａから見た要部の説明図である。
【図３】図１の装置の閉じた状態の側断面図である。
【符号の説明】
【００１４】
１    取付部材
２    ヒンジ軸
３    支持アーム
４    支持軸
５    リフトアーム
５ａ  当接部
６    第１スライダー
６ａ  カムフォロアー
７    第２スライダー
７ａ  カムフォロアー
７ｂ  開口部
８    圧縮コイルバネ
９    カム部
１０  バネカバー
１１  バネ調整部材
１１ａ  孔
Ｈ    開閉装置
Ｍ    装置本体
Ｐ    原稿圧着板
【図１】
2007212910.tif 000003
【図２】
2007212910.tif 000004
【図３】
2007212910.tif 000005
【手続補正書】
【提出日】平成19年2月22日(2007.2.22)
【手続補正１】
【補正対象書類名】図面
【補正対象項目名】全図
【補正方法】変更
【補正の内容】
【図１】
2007212910.tif 000006
【図２】
2007212910.tif 000007
【図３】
2007212910.tif 000008